(57)【要約】  収納位置から展開位置への展開可能な装置で、少なくとも第１の板（４１）および第２の板（４２）を有し、装置は、水平に意図されたシャーシ（２、２’、２”）と、板を収納位置と展開位置の間で、またはその逆にガイドするための、展開機構（３）を備えており、第１の板（４１）は、装置が展開位置にあるときには、主水平方向で第２の板（４２）に対して装置の背面方向にずれていて、そして装置が収納位置にある場合、第１の板（４１）は装置の前面に向かってずれ、第２の板（４２）は背面に向かってずれて配置される。この時、２つの板（４１、４２）は、実質的に同じ水準にある。【選択図】図１
2021507146.tif 000002
【特許請求の範囲】
【請求項１】
収納位置から展開位置への展開可能な装置であって、
前記装置は、少なくとも第１の板（４１）および第２の板（４２）を有し、
前記第１および第２の板（４１、４２）は、それぞれ第１の平面および第２の平面において相互にずれた位置に展開され、
前記装置は、水平に設計されたシャーシ（２、２’、２”）と、
板を前記収納位置と前記展開位置の間で、またはその逆にガイドするための、板の両側にある２つのサブアセンブリ（３０）を含む展開機構（３）
を備えており、
前記第１の板（４１）は、前記装置が前記展開位置にあるときには、主水平方向で前記第２の板（４２）に対して装置の背面方向にずれており、
前記装置が前記収納位置にある場合には、前記第１の板（４１）が装置の前面に向かってずれ、前記第２の板（４２）は背面に向かってずれて配置されることを特徴とし、
この時、２つの板（４１、４２）は、実質的に同じ水準にあり、第１および第２の水平面（Ｐ、Ｐ’）に平行であって、
前記シャーシ（２、２’、２”）は、取り外されているか、固定、または水平展開の少なくとも１つの伸縮アーム（１１）によって機構に連結されている構造をもつ装置。
【請求項２】
各サブアセンブリ（３０）が、
後方に向かって前記シャーシ（２、２’、２”）上に旋回可能に取り付けられた主棒（３９）、
前記第１の板（４１）を支持し、前記主棒（３９）の上端に旋回可能に取り付けられた第１の支持棒（３５）、
前記主棒（３９）の上端に旋回可能に取り付けられた前記第１の連結棒（３１）、そして、
前記展開位置にある前記第１の連結棒（３１）と整列しており、前記シャーシ（２、２’、２”）に前方に旋回可能に取り付けられている第２の連結棒（３２）を備えている、請求項１に記載の装置。
【請求項３】
前記展開位置において、前記第２の連結棒（３２”’）上の前記第１の連結棒（３１”’）の旋回軸（Ｂ）は、前記主棒（３９）上の前記第１の連結棒（３１”’）および前記シャーシ（２”’）上の前記第２の連結棒（３２”’）の旋回軸（Ａ、Ｃ）により形成されるセグメントに対して、前記シャーシ（２”’）上の前記主棒（３９）の旋回軸（Ｋ）の側にずれるようになっている、請求項２に記載の装置。
【請求項４】
前記サブアセンブリ（３０）は、さらに、前記第２の板（４２）を支持するための第２の支持棒（３６）を備え、
前記第２の支持棒（３６）は前記第１の支持棒（３５）と平行であり、前記第２の連結棒（３２）と同じＢ軸上で前記第１の連結棒（３１）に旋回可能に取り付けられており、
前記サブアセンブリ（３０）は、さらに第３の連結棒（３３）を備えており、
前記第３の連結棒（３３）は、前記第１の連結棒（３１）に平行であり、前記第１および第２の支持棒（３５、３６）に旋回可能に連結されており、
前記第１および第３の連結棒（３１、３３）の旋回軸が、第１の平行四辺形の上端部を構成している、請求項２または３に記載の装置。
【請求項５】
前記サブアセンブリ（３０）がさらに第４の連結棒（３４）を備えており、この連結棒は、前記第２の連結棒（３２）に平行であり、前記第２の支持棒（３６）および前記シャーシ（２、２’、２”）に旋回可能に連結されており、前記第２および第４の連結棒（３２、３４）の旋回軸が、第２の平行四辺形の上端部を構成している、請求項４に記載の装置。
【請求項６】
前記サブアセンブリ（３０）が、前記第２の支持棒（３６）の一端に旋回可能に取り付けられ、前記シャーシ（２）の第２の端で主水平方向に摺動および旋回可能に取り付けられた保持棒（３７）を備えており、
前記保持棒（３７）は、前記装置の前記展開位置で、垂直に近い前記第２の支持棒（３６）のブロック脚を形成する、請求項５に記載の装置。
【請求項７】
前記保持棒（３７）は、前記シャーシ（２）に連結された第１のガススプリング（３７２）に連結され、前記保持棒（３７）の摺動端を前記ブロック脚の位置の方向へ移動させる、請求項６に記載の装置。
【請求項８】
前記保持棒（３７）には、前記シャーシ（２）の滑り溝（２３）でガイドされる旋回軸（３７０）があり、前記滑り溝（２３）は、前記保持棒（３７）が下方へ移動することにより、前記旋回軸（３７０）が前記展開位置で収納される切り込み（２３０）を備えており、いずれかの板（４１、４２）に負荷がかかっているときに、前記旋回軸（３７０）が前記滑り溝（２３）の内で滑るのを防ぐことができる、請求項７に記載の装置。
【請求項９】
前記第１のガススプリング（３７２）が、ブロック手段を備えており、
前記ブロック手段は、前記第１のガススプリング（３７２）のロッドを伸長位置にロックし、前記旋回軸（３７０）が前記展開位置にある前記滑り溝（２３）内でスライドするのを防止するもので、
前記第１のガススプリング（３７２）が、前記保持棒（３７）を上方向に押す張力手段（３７３）も備えており、
前記張力手段（３７３）は、前記旋回軸（３７０）を前記切り込み（２３０）の反対方向に押す、請求項８に記載の装置。
【請求項１０】
前記展開機構（３）の前記サブアセンブリ（３０）の要素は、横方向（Ｆ２）、つまり主方向（Ｆ１）に水平および垂直に配置され、
前記サブアセンブリ（３０）の要素は、
−  前記主棒（３９）
−  前記第１の支持棒（３５）
−  前記第３の連結棒（３３）
−  前記第１の連結棒（３１）
−  前記シャーシ（２、２’、２”）の垂直翼の外側に旋回可能に取り付けられている前記第２の連結棒（３２）
−  前記第２の支持棒（３６）
−  前記シャーシ（２、２’、２”）の垂直翼の内側に旋回可能に取り付けられている前記第４の連結棒（３４）
が、外側から内側へと順番に配置される、請求項５から９のいずれか一項に記載の装置。
【請求項１１】
保持棒（３７）は第４の連結棒（３４）の後に配置される、請求項６を引用する請求項１０に記載の装置。
【請求項１２】
各サブアセンブリ（３０）が、前記装置を前記展開位置に配置する目的で、前記シャーシ（２、２’、２”）と前記主棒（３９）を連結する第２のガススプリング（５）を含む、請求項２から１１のいずれか一項に記載の装置。
【請求項１３】
前記第２のガススプリング（５）が、前記主棒（３９）の上端の近くで前記主棒（３９）に連結される、請求項１２に記載の装置。
【請求項１４】
前記主棒（３９）が、前記シャーシ（２、２’、２”）の旋回軸を超えて前記主棒（３９）を延長する第１端部（３９１）を備え、
前記第１の端部（３９１）は、
前記装置が前記展開位置にあるときに、前記シャーシ（２、２’、２”）の下に突出して床面に支えられ、
前記収納位置では引っ込む、請求項２から１２のいずれか一項に記載の装置。
【請求項１５】
前記第２の連結棒（３２）が、前記シャーシ（２、２’、２”）の旋回軸を超えて前記第２の連結棒（３２）を延長する形で第２の端部（３２２）を備え、
前記第２の端部（３２２）は、
前記装置が前記展開位置にあるときに、前記シャーシ（２、２’、２”）の下に突出して床面に支えられ、
前記収納位置では引っ込む、請求項２から１４のいずれか一項に記載の装置。
【請求項１６】
脚金（２６）は、第１または第２の端部（３９１、３２２）の間に挿入される、請求項１４または１５に記載の装置。
【請求項１７】
前記展開位置および前記収納位置で、前記第１および第２の連結棒（３１”、３２”）または前記第３および第４の連結棒（３３、３４）を、連結するように配置されたロック機構（７）を備えている、請求項２から１５のいずれか一項に記載の装置。
【請求項１８】
前記ロック機構（７）が、前記第１および第２の連結棒（３１”、３２”）のうちの一方のリンクに固定されたロック機構本体（７０）を含み、他方の連結棒（３１”）には、２つの連結棒（３１”、３２”）間の旋回軸（Ｂ）を越えて前記連結棒の延長するアーム（３１１）を含む。
前記ロック機構（７）には、さらに、前記ロック機構（７０）の本体内に、スライド可能に弾性的に錠の舌（７１）が取り付けられており、前記アーム（３１１）によって保持された第１の受座（７２）、および前記旋回軸（Ｂ）に対して前記第１の受座（７２）の反対側に位置する前記第１の連結棒（３１”）によって保持された第２の受座（７３）と協働するように配置される、請求項１７に記載の装置。
【請求項１９】
前記ロック機構（７）は、制御部（２４”）によって遠隔操作される、請求項１７または１８に記載の装置。
【請求項２０】
前記収納位置において、前記前記第２の板（４２）または前記第１の板（４１）と前記シャーシ（２）を一緒に連結するように配置された停止機構（６）を備える、請求項２から１５のいずれか一項に記載の装置。
【請求項２１】
前記シャーシ（２”）は全方位キャスター（２２”）および、後方にストッパー（８）を備えており、
前記ストッパー（８）は実質的に垂直方向および横方向に延びており、周辺に固定されたガイド翼（１３）と係合して、前記装置を主方向に維持し、前記装置を横方向に導くことができることを特徴とする、請求項１〜２０のいずれか一項に記載の装置。
【請求項２２】
前記ストッパー（８）は収納可能である、請求項２１に記載の装置。
【請求項２３】
レイアウト追加構成によっては、前記シャーシは、前記装置を転がしながら移動することができるキャスターを備え、前記キャスターは収納可能であり、前記装置は、前記装置上に重力が加えられた場合に、固定パッド上で床面に支えられる、請求項１〜２２のいずれか一項に記載の装置。
【発明の詳細な説明】
【技術分野】
【０００１】
本発明は、異なったボードから構成される展開可能な装置、特に踏み台に関する。
【背景技術】
【０００２】
住居、オフィス、または店舗内において、高さと幅の大きな家具が存在し、それらの家具には奥行きの深い収納スペースがある場合が一般的である。これらの収納スペースの奥のほうに物を収納したり、収納されている物にアクセスしたりするのは容易ではない。また背の高い家具の収納スペースへのアクセスは困難である。引き出しの行程が制限されている場合の奥の深い引き出しに関しても同様のことが言える。
【０００３】
従来の技術において、基部に引き出しが設けられた家具で、その引き出しの内部に折り畳み式の踏み台一式が収納されるものが知られている。踏み台の全体は、引き出しから取り出して展開して立体的に組み立てることができ、引き出された状態で２段の踏み段を形成するように構成されている。引き出しの前部に配置された第１の制御部材を押すことによって、踏み台一式が展開されることが知られている。また、引き出しは、並進ガイド機構によって自動的に開いてスライドすること、および並進運動のための手段により踏み台全体を引き出しから外に押し出すこと、その手段として、バネまたはモータ駆動のいずれかが使われることが知られている。引き出しが開くと、第２の制御部材がバネまたはモータ駆動の回転を始動し、それによって踏み台を垂直方向に展開する。
【０００４】
ただし、この解決案には、収納時に２段の板が引き出し内に重ね合わされることと、展開時においては２段の板が部分的に重ね合わされた状態のままだという欠点がある。これは、上段の踏み段が邪魔して、下段の踏み段を形成する板上に利用者の足を載せる面積が減り、その結果この踏み台を登るときの安全性が阻害されることに加え、段数が制限されるという欠点をもたらす。事実、段数は、家具の下に収納しなければならない引き出し内に、板を重ねて収納できるかどうかに依存する。家具下の収納空間の高さは、通常１０ｃｍ未満、あるいは７ｃｍ未満であり、その結果、重ねて収納できる板の数は多くはない。この解決策は、踏み段の代わりに、重ねられた引き出しを形成するコンパートメントなどの収納スペースを形成するのには適していない。実際、収納位置に重ねられた引き出しを形成するコンパートメントは、それらの積み重ねのために高さが低くなり、したがって、引き出しとしての使用が制限され、収納部の奥にアクセスできず、満足のいく引き出しを形成するコンパートメントを実現できない。この解決策はまた、棚などの収納スペースの実現にも適していない。確かに、踏み段と同じように、棚は部分的に重ねられた状態になる。これは、上側の棚が直接下側の棚上に重なって邪魔をするために、物体を収納するための有用な板面積を狭めるという欠点がある。既知の解決策では、これらの異なる用途に十分に対応できない。
【０００５】
欧州特許出願公開第１３６６６９２号明細書では、少なくとも１つの踏み段を有するもので、家具の下の閉位置で収容される、折りたたみ式収納スツールも知られている。家具の下からの取り出しは、ガススプリングの作用により、最初の水平パンタグラフを含む構造により行われる。この装置はバネ式のラッチも装備しており、それにより閉位置に保つことができる。スツールは、ガススプリングによって作動する２番目の垂直パンタグラフに対応する機構によって展開される。この解決策は、踏み台の実現や、引き出しあるいは棚の実現への転移には、先行技術と同様に２つの重ねられた板を有するという欠点がある。
【先行技術文献】
【特許文献】
【０００６】
【特許文献１】欧州特許出願公開第１３６６６９２号明細書
【発明の概要】
【発明が解決しようとする課題】
【０００７】
したがって、本発明の目的は、装置が展開されているときに、ユーザーが踏み段または引き出しを形成するコンパートメントまたは棚に容易にアクセスでき、またそれと同時に、特に限られた高さの収納スペースに装置の収納を可能にすることによって、従来技術のこれらの欠点を克服する装置を提供することである。
【課題を解決するための手段】
【０００８】
以上の目的を考慮して、本発明は、収納位置から展開位置に展開することができる装置に関するものである。本装置は、少なくとも第１の板および第２の板を有し、第１および第２の板は、それぞれ第１の平面および第２の平面において相互にずれた展開位置に展開される。装置は、水平に意図されたシャーシと、板を収納位置から展開位置に、またはその逆にガイドするための、板の両側にある２つのサブアセンブリを含む展開機構を備えている。第１の板は、装置が展開位置にあるときには、主水平方向で第２の板に対して装置の背面方向にずれている。そして装置が収納位置にある場合、第１の板は装置の前面に向かってずれ、第２の板は背面に向かってずれて配置されることを特徴とする。この時、２つの板は、実質的に同じ水準にあり、第１と第２の面に平行である。シャーシは、取り外されているか、固定、または水平展開の少なくとも１つの伸縮アームによって機構に連結される構造をもつ。
【０００９】
「同じレベルにある」とは、第１の面と第２の面に垂直な軸上で測定された場合に近い高さに位置していることを意味する。収納位置にある装置はコンパクトであり、特に高さの限られた狭いスペースに保管できる。装置は完全に可動であるか、または引き出しなどのように伸縮自在な形で周辺に取り付けることができる。収納位置で、板のずれにより、重ねることなく配置することが可能になり、したがって収納時の高さを最小限にすることができる。さらに、展開位置と収納位置の間での板の配置の逆転により、それらの軌道がほぼシャーシの寸法内におさまるので、周囲の物体に干渉することなく展開が容易になる。板が踏み板であれば、装置は踏み台を形成する。また、板に代わりに容器であれば、本装置は整頓および陳列の設備になる。シャーシは、固定または可動式の家具の上面に固定することもできれば、下向きに配置するために下面に固定することもできる。あるいは単に床面に置くことも可能である。
【００１０】
構造的な配置によれば、各サブアセンブリは以下の部分から構成されている。シャーシ上の後部に旋回可能に取り付けられた主棒、第１の板を支持し、主棒の上端に旋回可能に取り付けられた第１の支持棒、主棒の上端にも旋回可能に取り付けられた第１の連結棒、そして、展開位置にある第１の連結棒と整列しており、シャーシの前方に旋回可能に取り付けられている第２の連結棒である。主棒は、シャーシと、第１の連結棒と第２の連結棒が展開位置で一直線上にある場合に、三角形を形成する。一方で、収納位置で、第１連結棒と第２連結棒が折りたたまれているとき、主棒はシャーシに沿って水平に横になる。このように、第１の板の展開が、旋回によって非常に容易な仕方で行われる。
【００１１】
特定の構成にしたがって、展開位置において、第２の連結棒上の第１の連結棒の旋回軸は、メインバー上の第１の連結棒とシャーシ上の第２の連結棒の旋回軸により形成されるセグメントに対して、シャーシ上の主棒の旋回軸の側にずれるようになっている。これにより、複数の旋回軸が同じ平面上にあった場合に干渉により、折りたたみがブロックされてしまうことを避けることができる。この構成では、主棒を押すことにより、連結棒自体を折りたたむことができ、装置の折り畳みが容易になる。
【００１２】
さらに、サブアセンブリは、以下の要素から構成されている。まず、第２の板を支持するための第２の支持棒であり、これは第１の支持棒と平行であり、第２の連結棒と同じ軸上で第１の連結棒に旋回可能に取り付けられている。さらに、第１の連結棒に平行であり、第１および第２の支持棒に旋回可能に連結された第３の連結棒が取り付けられており、その結果、第１および第３の連結棒の旋回軸は、第１の平行四辺形の上端部を構成している。これにより、支持棒の間、つまり板間の平行性と、展開時の動きの同期が保証される。
【００１３】
加えて、サブアセンブリにはさらに第４の連結棒を備えており、この連結棒は、第２の連結棒に平行であり、第２の支持棒およびシャーシに旋回可能に連結されている。その結果、第２および第４の連結棒の旋回軸が、第２の平行四辺形の上端部を構成している。これにより、シャーシに対する支持棒、つまり板の平行性が確保される。
【００１４】
第１の実施形態によれば、サブアセンブリにはさらに、第２の支持棒の一端に旋回可能に取り付けられ、シャーシの第２の端で主水平方向に摺動および旋回可能に取り付けられた保持棒を備える。これは、装置の展開位置で、垂直に近い第２の支持棒のブロック脚を形成するようにしてある。保持棒は、板への負荷に関連する垂直荷重の支えを提供することにより、装置の展開時の機構を大幅に堅牢にする。保持棒は、板の表面に加えられる力に抗して展開位置を保証する。
【００１５】
構造的な構成により、保持棒は、シャーシに連結された第１のガススプリングに連結され、保持棒の摺動端をブロック脚の位置能方向へ移動させる。第１のガススプリングは、特に展開位置に到達する段階において、装置の展開の動作に寄与する。つまり、保持棒は、第３番と第４番の連結棒、そして第１番と第２番の連結棒の整列に寄与する。
【００１６】
さらに、保持棒には、シャーシの滑り溝でガイドされる旋回軸があり、滑り溝は、保持棒が下方へ移動することにより、旋回軸が展開位置で収納される切り込みをもっていて、これにより、いずれかの板に負荷がかかっているときに、旋回軸が滑り溝の内で滑るのを防ぐことができる。旋回軸が切り込みに収納されている場合、保持棒は旋回できなくなり、展開された位置でのサブアセンブリのブロックが保証される。
【００１７】
補足的に、第１のガススプリングは、第１のガススプリングのロッドを伸長位置にロックし、展開位置にある滑り溝内の旋回軸の旋回を防止するロック手段と、保持棒を上に押す張力手段とを含む。張力手段は、例えば、第１のガススプリングに作用してそれを旋回させ、またはその並進に伴って旋回に作用する機械的なバネである。したがって、第１のバネをブロックすることにより、板に負荷がかかっているときに、張力手段に対する保持棒のわずかな下向きの動きによって、旋回軸が切り込み内に係合されることが保証される。ブロック手段は遠隔制御することができる。ブロックから解放されると、板上の負荷によりガススプリングが圧縮されてロッドが後退し、旋回軸が切り込みに係合することなくレール内でスライドし、装置を収納位置に戻すことができる。この動きは、刻み溝へのピボットの係合に抗する張力手段を伴う。
【００１８】
構造的な配置によれば、展開機構のサブアセンブリの要素は、横方向、つまり水平で主方向に垂直の方向に配置され、次のように最も外側から最も内側へと配置される。
−  主棒
−  第１の支持棒
−  第３の連結棒
−  第１の連結棒
−  シャーシの垂直翼の外側に旋回可能に取り付けられている第２の連結棒
−  第２の支持棒
−  シャーシの垂直翼の内側に旋回可能に取り付けられている第４の連結棒
【００１９】
この配置は、サブアセンブリの要素が、全体の高さを可能な限り制限する目的で、収納時に互いに隣り合って収納することができることを示している。
【００２０】
さらに、保持棒は第４の連結棒の後に配置される。
【００２１】
構造的な配置によれば、各サブアセンブリは、装置を展開位置に配置する目的で、シャーシと主棒を連結する第２のガススプリングを含む。このようなタイプのバネは、筒状の本体と、圧縮ガスの作用によりスライドするロッドを押し出すシリンダーである。また、動きを緩衝させる作用を提供する。ロッドと本体は、それぞれシャーシと主棒に旋回またはボールジョイント式に取り付けられる。
【００２２】
特定の構成にしたがって、第２のガススプリングを、主棒の上端の近くで主棒へ連結する。
【００２３】
改善された構成によれば、主棒は、シャーシの旋回軸を超えて主棒を延長する第１端部を備えているため、デバイスが展開位置にあるときに、第１端部がシャーシの下に突出し、地面に支えられ、そして収納位置では引っ込む。装置の展開により、端部がシャーシの下に突出し、装置が地面上を滑ることなく保持され、安定した位置を保持する。
【００２４】
補足的または代替的な方法として、第２連結棒が、シャーシの旋回軸を超えて第２連結棒を延長する形で第２の端部を備える場合、装置が展開位置にあるときに、第２の端部がシャーシの下に突出して地面上でサポートし、そして収納位置では引っ込む。上記と同じ機能を、補足として、または単独で、この方法により実現することができる。
【００２５】
第２の実施形態によれば、各サブアセンブリは、展開位置および収納位置で、第１および第２の連結棒または第３および第４の連結棒を、連結するように配置したロック機構を備えている。このロック機構は、第１連結棒と第２連結棒を組み合わせることで、保持棒の機能の代替となり、このアセンブリがシャーシと主棒で剛体の三角形を形成するようにする。あるいは、第３の連結棒と第４の連結棒で形成される全体の場合、第１と第２の平行四辺形の構造を強化する。
【００２６】
構造的な配置によれば、ロック機構は、第１および第２の連結棒のうちの一方のリンクに固定されたロック機構本体を含み、他方の連結棒には、２つの連結棒間の旋回軸を越えて前記連結棒を延長するアームを含む。さらに、ロック機構は、ロック機構本体内に、弾性的な形でスライド可能な錠の舌が取り付けられており、アームによって保持された第１の錠の受座、および当該の旋回軸に対して第１の受座の反対側に位置する他方の連結棒によって保持された第２の受座と協働するように配置される。
【００２７】
あるいは代替の仕方で、装置は、第２の板を一緒に連結する、または収納位置の第１の板とシャーシを一緒に連結するように配置された停止機構を備える。このように、装置は、停止機構のリリース時にのみ展開され、それ以外の場合は、装置が移動されたときでも、収納位置に維持される。
【００２８】
改良された装置によれば、それぞれの停止機構であるロック機構は、制御部によって遠隔操作できる。操作装置は、ペダルまたは旋回またはプルハンドルである。これは、単安定または双安定、つまり１つの位置または２つの安定位置である。
【００２９】
改善された装置によると、シャーシには全方位キャスターが付いており、そして、後部ではストッパーが実質的に垂直方向および横方向に延びている。このストッパーは、周辺に固定されたガイド翼と係合して、装置を主方向に維持し、装置を横方向に導くことができる。したがって、装置をそのキャスター上で、ストッパーがガイド翼と接触している位置に移動し、次に、前記ガイド翼に沿って横方向に装置を移動することが可能となる。この構成が有益であるのは、棚ユニットの一部を形成する家具下に保管された装置を取り出し、棚に沿って目的の家具まで移動してから装置を使用する場合に特に便利である。
【００３０】
改善された装置では、ストッパーは収納式である。このように、装置を完全にリリースできる。
【００３１】
追加構成によっては、シャーシに、装置を転がしながら移動することができるキャスターを装備している。キャスターは収納可能であり、その結果、装置は、装置上に重力が加えられた場合に、固定パッド上で床面に支えられる。したがって、特にキャスターが全方位可能である場合、そして装置に重量がかかっていない場合、装置は容易に移動でき、人が装置上に上ると、グリッパーなどのパッドの上に置かれ、装置を完全に安定させる
【００３２】
添付の図によって示される、例示の例を見れば、専門家にはその他の利点も現れるに違いない。
【図面の簡単な説明】
【００３３】
【図１】本発明の第１の実施形態による、展開された位置の本装置の斜視図である。
【図２】本発明の第１の実施形態による、収納位置の本装置の斜視図である。
【図３】図１の装置が家具の下に収納されたものの側断面図である。
【図４】図１の装置が収納部から取り外されたものの側断面図である。
【図５】ロック位置にある、図３の停止手段のＶ位置の詳細図である。
【図６】解放位置にある、図３の停止手段のＶ位置の詳細図である。
【図７】収納位置における、展開機構のサブアセンブリ要素の配置の概略を示す上面図である。
【図８】図１の部分ＶＩＩＩの詳細で、作動位置にある制御部の図である。
【図９】収納位置と展開位置との間の中間位置にある図１の装置の側面図である。
【図１０】図９の部分Ｘの詳細図である。
【図１１】展開位置にある図１の装置の側面図である。
【図１２】図１１の部分Ｘの詳細図である。
【図１３】収納位置にある図１の装置の側面図である。
【図１４】図１３の部分Ｘの詳細図である。
【図１５】本発明の第２の実施形態による、展開された位置の本装置の斜視図である。
【図１６】本発明の第３の実施形態による、展開された位置の本装置の斜視図である。
【図１７】収納位置にあり周囲に保持されている図１６の装置の側面図である。
【図１８】図１７の部分ＸＶＩＩＩの詳細図である。
【図１９】収納位置にあり周囲から解放されている図１６の装置の側面図である。
【図２０】展開位置にあり周囲に保持されている図１６の装置の側面図である。
【図２１】収納位置にあり周囲から離れている図１６の装置の斜視図である。
【図２２】展開位置にあり周囲から解放されている図１６の装置の側面図である。
【図２３】展開位置にあり周囲に保持されている図１６の装置の斜視図である。
【図２４】展開位置にある図１６の装置をわずかに上から見た正面図である。
【図２５】ロック位置にある、図２４の部分ＸＸＶの詳細図である。
【図２６】解放位置にある、図２４の部分ＸＸＶの詳細図である。
【図２７】別の実施形態によるデバイスの展開された位置での側面図である。
【発明を実施するための形態】
【００３４】
第１の実施形態によれば、図１から図１３に示される本発明による装置は、図２および図３に示される収納位置から、図１および図１３に示されるような展開位置に展開可能である。この実施形態では、装置は、高い場所の収納家具へアクセスするための３つの段４１、４２、４３を含む踏み台である。装置は、周囲を形成し収納部１０を区切る筐体１、シャーシ２、および筐体１をシャーシ２に連結するための水平に展開する２つの伸縮アーム１１を備えている。伸縮アーム１１は、相互にスライドする少なくとも２つの要素を含み、その一方は筐体１に固定され、他方は装置のシャーシ２に固定されている。シャーシ２には車輪２２が設けられており、これにより、図３に示すように収納部１０内の収納位置から、図４に示すように伸長位置まで装置をスライドさせることができる。このスライドは、水平主方向Ｆ１における伸縮アーム１１によりガイドされる。筐体１は、その下部で家具に固定されることが意図されている。図示されていない変形の例では、伸縮アーム１１は、家具によって構成される周囲に直接固定することができる。
【００３５】
収納部１０からの取り出しは、収納部１０の底部で筐体１に固定された解放ピストン１２によって促がされる。このようなピストン１２は、バネの力で押し出す作用があるロッドを有する。装置が収納位置に移動すると、装置は前記ロッドを駆動し、バネを圧縮する。ストッパーに到達すると、ピストンは収縮されたロッドを保持する機構を備えている。もう一度ストッパー方向へ押すと、ロッドを解放するメカニズムが作動し、これにより、バネの作用で装置が前方に押し出され、装置へアクセス可能になり、装置を拡張位置に引き出すことができる。
【００３６】
踏み台は、第１の板４１および第２の板４２を有し、第１および第２の板４１、４２は、それぞれ第１の水平面Ｐおよび第２の水平面Ｐ’において展開され、相互にずれた位置にある。シャーシ２は、水平に意図されている。装置は、板を収納位置と展開位置の間で、またはその逆にガイドするための、板４１、４２の両側にある２つのサブアセンブリ３０を含む展開機構３を備えている。第１の板４１は、装置が展開位置にあるときには、主水平方向で第２の板４２に対して装置の背面方向にずれている。そして装置が収納位置にある場合、第１の板４１は装置の前面に向かってずれ、第２の板４２は背面に向かってずれて配置される。この時、２つの板４１、４２は、実質的に同じ水準にある。
【００３７】
各サブアセンブリ３０は、横方向および水平方向に沿って旋回するように取り付けられた複数棒を備えている。各サブアセンブリ３０は、後方に向かってシャーシ２上で、Ｋで旋回可能に取り付けられた主棒３９を備え、第１の板４１を支持し、主棒３９の上端Ａに旋回可能に取り付けられた第１の支持棒３５、主棒３９の上端Ａにも旋回可能に取り付けられた第１の連結棒３１、そして、展開位置にある第１の連結棒３１と整列しており、シャーシ２のＣで前方に旋回可能に取り付けられている第２の連結棒３２である。
【００３８】
サブアセンブリ３０は、その上、第２の板４２を支持するための第２の支持棒３６を備え、これは第１の支持棒３５と平行であり、第２の連結棒３２と同じＢ軸上で第１の連結棒３１に旋回可能に取り付けられている。さらに、第１の連結棒３１に平行であり、第１および第２の支持棒３５、３６に旋回可能にＤとＥで連結された第３の連結棒３３が取り付けられており、その結果、第１および第３の連結棒３１、３３の旋回軸は、第１の平行四辺形ＡＢＥＤの上端部を構成している。
【００３９】
加えて、サブアセンブリ３０にはさらに第４の連結棒３４を備えており、この連結棒は、第２の連結棒３２に平行であり、第２の支持棒３６およびシャーシ２に旋回可能にＥで連結されている。その結果、第２および第４の連結棒の旋回軸３４が、第２の平行四辺形ＢＣＦＥの上端部を構成している。
【００４０】
構造的な配置によれば、展開機構３のサブアセンブリ３０の要素は、横方向Ｆ２、つまり水平で主方向Ｆ１に垂直の方向に配置され、次のように最も外側から最も内側へと配置される。
−    主棒３９
−    第１の支持棒３５
−    第３の連結棒３３
−    第１の連結棒３１
−    シャーシ２の垂直翼２１の外側に旋回可能に取り付けられている第２の連結棒３２
−    第２の支持棒３６
−    シャーシ２の垂直翼２１の内側に旋回可能に取り付けられている第４の連結棒３４
−    保持棒３７
【００４１】
垂直翼２１は、第４の連結棒３４を第２の支持棒３６に連結する旋回軸３８を通すための切り込み３１２を有する。収納位置では、展開機構のすべての旋回軸は実質的に同じ水平面上にある。
【００４２】
保持棒３７は、第２の支持棒３６の一端Ｅに旋回可能に取り付けられ、シャーシの第２の端で主水平方向に摺動および旋回可能に取り付けられた保持棒を備える。これは、装置の展開位置で、垂直に近い第２の支持棒３６のブロック脚を形成するようにしてある。支持棒３７は、実質的に主方向に延在する、シャーシ２の滑り溝２３にガイドされる旋回軸３７０を備える。滑り溝２３は、保持棒３７が下方へ移動することにより、旋回軸３７０が展開位置で収納される切り込み２３０をもっていて、これにより、いずれかの板４１、４２に負荷がかかっているときに、旋回軸３７０が滑り溝２３の内で滑るのを防ぐことができる。保持棒３７の旋回軸３７０は、クロス部材３７１によって相互連結されている。そしてクロス部材３７１は、シャーシ２に連結された２つの第１のガススプリング３７２に連結されていて、クロス部材３７１を主方向の後方に移動させ、それにより保持棒３７をブロック脚位置方向に移動させる。
【００４３】
第１のガススプリング３７２は、既知のブロック手段を供えており、第１のガススプリング３７２のロッドを伸長位置にロックし、旋回軸３７０が展開位置にある滑り溝２３内でスライドするのを防止する。ブロック手段は、前端２５に沿ってシャーシに取り付けられ、ユーザーがアクセス可能なペダル２４によって遠隔制御できる。保持棒３７を上方向に押す張力手段も設けられており、それにより、旋回軸３７０を切り込み２３０の反対方向に押す。張力手段は、例えば、第１のガススプリング３７２の本体を押す板バネ３７３によって構成される。
【００４４】
各サブアセンブリ３０は、さらに、装置を展開位置に配置する目的で、シャーシ２と主棒３９を主棒３９の上端部で連結する第２のガススプリング５を含む。第２のガススプリング５は、一方で、主棒３９上の第１の支持棒３５の旋回軸Ａに、旋回可能に取り付けられ、他方、シャーシ２のＧに取り付けられる。この位置は、主棒３９の旋回軸から、第１支持棒３５の旋回軸Ａの間の距離の約３分の１から半分の距離である。さらに、シャーシ２上の第２のバネの旋回軸Ｇの高さは、収納位置においてさえ装置を展開する応力が残されているようにするために、第２のバネが主棒３９と整列しないように選択される。この力は、収納位置では、第２の板４２とシャーシ２を一体化するように設計された停止機構６によって打ち消される。このため、第２の板４２は、下方に突出するフック６１を有する。停止機構６は、２つのジョー６２を備えているが、それらはロック解除位置では相互に離間しており、フック６１がジョー６２の間に挿入され、停止機構６に当接すると、フックを把持するように旋回する。もう一度下向きに押すと、ジョー６２が開く。停止機構６のこれらの機能は既知であり、詳細には説明しない。
【００４５】
ところで、主棒３９は、シャーシ２の旋回軸を超えて主棒３９を延長する第１端部３９１を備えているため、デバイスが展開位置にあるときに、第１端部３９１がシャーシ２の下に突出し、地面に支えられ、そして収納位置では引っ込む。同様に、第２連結棒３２が、シャーシ２の旋回軸を超えて第２連結棒３２を延長する形で第２の端部３２２を備える場合、装置が展開位置にあるときに、第２の端部３２２がシャーシ２の下に突出して地面上でサポートし、そして収納位置では引っ込む。図２７に示されるバージョンでは、第１および第２の端部３９１、３２２は、地面に直接作用せず、脚金２６を介して作用する。
【００４６】
脚金２６は、２”’のシャーシにスライド式に取り付けられ、端部３９１、３２２によって制御されるか、または装置が展開位置にあるとき、車輪を離すように水平軸を中心に端部で関節の動きをする。脚金２６は、床面に接触するように意図され、床面に跡を残さないように十分に広い平らな面を有する。表面は、密着性を最適化し、マークを残すリスクを減らすために、エラストマーで被覆されていることが望ましい。
【００４７】
シャーシ２は、前方に水平に固定された第３の板４３を備えている。第３の板４３は、ペダル２４へのアクセスを可能にするための切り込み部分４３０を有する。
【００４８】
動作時、収納位置の装置で、ユーザーが、収納部１０に収納されたシャーシ２の前端２５を押して、解放ピストン１２を作動させ、シャーシ２をリリースすると、シャーシは前方に移動する。ユーザーが、収納部１０からシャーシ２全体を引き出す。
【００４９】
次に、シャーシ２が収納部１０から完全に取り出されたら、ユーザーは、第２の板４２を押して、フック６１を外すために停止機構６を作動させる。第１および第２のガススプリング３７２、５の組み合わされた作用により、主棒３９はＫで上方に旋回し、第１の板４１が後方に移動しながら上昇する。平行四辺形の組み合わせにより、第１の板４１は移動中に水平を保たれ、そして、展開位置に達すると、後方から前方に向かって移動する第２の板４２が、第１の板４１と第３の板４３との間のほぼ中間位置にくる。この移動中、第１および第２の脚部の端部３９１、３２２が床面と接触し、シャーシ２を支える。この時、車輪２２が床から離れ、装置は床上に安定して支持される。また、この移動中に、クロス部材３７１は、第１のガススプリング３７２の力で後方に移動し、保持棒３７を垂直位置付近に動かす。
【００５０】
第１のバネ３７２および張力手段３７３の組み合わされた力により、保持棒３７によって加えられる押力は、板４２を前方に押して、第１および第２の連結棒３１、３２が、図１１に示すように、整列を越えた位置まで移動する。これで、展開位置に達する。次に、ユーザーがペダル２４を作動させるとペダル２４は下降位置に到達し、第１のガススプリング３７２のロックを制御する。この下降位置で、安定した状態である。
【００５１】
ユーザーが第２の板４２の上にあがると、その重量により、第１のバネおよび引張手段３７３の作用に抗する形で、保持棒３７に力が加わる。保持棒３７は下降を開始するが、第１のバネ３７２がブロックされているので、保持棒３７の旋回軸３７０が切り込み２３０に係合し、これにより、図１３と図１４に示されるように、展開位置でのロックが保証される。収納位置に戻すには、ペダル２４を上げることによって第１のガススプリング３７２のロックを解除した後、逆の動きによって得ることができる。
【００５２】
図１５に示される第２の実施形態では、装置は、伸縮式アームによって周囲に連結されることなく、シャーシ２’が自在であるという点で、第１の実施形態のものとは異なる。このような装置は、自由に使用でき、低い高さのスペースに収納可能である。
【００５３】
図１６から図２６に示す第３の実施形態では、装置は、保持棒または第１のガススプリングを備えておらず、また停止機構もないという点で第１の実施形態とは異なる。当該装置は、ロック機構７を備えており、その配置によって展開位置および収納位置において、第１および第２の連結棒３１”、３２”を一体化するように構成されている。装置は、理解を容易にするために、第３の板は図に示されていない。
【００５４】
ロック機構７は、第２の連結棒３２”に固定された本体７０を有し、第１の連結棒３１”は、２つの連結棒３１”、３２”間の旋回軸Ｂを越えて、第１の連結棒３１を延長するアーム３１１を備えており、さらに、ロック機構７は、ロック機構本体７０内に、弾性的な形でスライド可能な錠の舌７１が取り付けられており、アーム３１１によって保持された第１の錠の受座７２、および当該の旋回軸に対して第１の受座７２の反対側に位置する第１の連結棒３１によって保持された第２の受座７３と協働するように配置される。ここで、錠の舌７１は棒状であり、錠の受座は丸穴である。第１の連結棒３１は、さらに、各錠の受座の反対側に位置するロッドの旋回中に、錠の舌７１を退避させるために設けられた２つの傾斜７４を備える。
【００５５】
ロック機構７は、ペダル２４”のような制御部によって遠隔操作できる。ペダル２４”は、ブレーキケーブル７５によって各ロック機構７に接続されている。その結果、錠の舌７１が、弾性手段にもかかわらず錠の受座から外されて、連結棒を解放する。
【００５６】
本装置は、第３のガススプリング９を、後部シャーシ上に、または第２の板４２上に取り付けることができる。この第３のガススプリング９は、第１および第２の連結棒３１”、３２”の整列、および第１の錠の受座７２における錠の舌７１の係合を確実にする。
【００５７】
収納位置では、第１および第２の連結棒３１”、３２”は重ね合わされ、その錠の舌７１が、第２の錠の受座７３と協働するロック機構７によって互いに連結され、その結果、収納位置を維持することになる。ペダル２４”を作動させると、錠の舌７１が錠の受座から解放され、装置は第２のバネ５の作用で展開する。移動中、第１の錠の受座７２に対する傾斜７４が、錠の舌７１の退避を制御し、次に、錠の舌７１が第１の錠の受座７２に係合し、それにより装置が展開位置にロックされる。収納位置への復帰は、ペダル２４”を押して第１の錠の受座７２から錠の舌７１を外し、板４１、４２を押して第２のガススプリング５を圧縮して、収納位置に至らせる。
【００５８】
この実施形態では、シャーシ２”は全方位キャスター２２”を備えている。また、後部では実質的に垂直方向および横方向に延びているストッパー８を備えている。ストッパー８は２つの垂直にスライドするように取り付けられた突起部８０を備え、バネ８１によって上方に保持される。突起部８０は、一端にハンドル８３が設けられた横断方向の三角形８２によって連結されている。このストッパー８は、周辺に固定されたガイド翼１３と係合して、装置を主方向に維持し、図１７、図２０、図２３に示されている通り、装置を横方向に導くことができる。
【００５９】
ストッパー８は、ハンドル８３を押して、突起部分８０を下方にスライドさせ、それらをガイド翼１３から外すことにより収納可能である。この場合、図２１と図２２に示すように、装置を床上で自由に移動できる。
【００６０】
図２７に示されているバージョンでは、展開位置において、第２の連結棒３２”’上の第１の連結棒３１の旋回軸Ｂは、主棒３９”’上およびの第１の連結棒３１”’とシャーシ２”’上の第２の連結棒３２”’の旋回軸Ａ、Ｃにより形成されるセグメントに対して、シャーシ２”’上の主棒３９”’の旋回軸Ｋの側にずれるようになっている。言い換えると、多角形ＫＡＢＣでは、角度ＡＢＣは優角で、他の角度は劣角である。したがって、連結棒３１”’、３２”’をロック解除した後、第１の板４１を押すだけで、サブアセンブリが収納位置に移動する。
【００６１】
この機能に関係なく、第２のガススプリング５”’は特定の仕方で取り付けられている。シャーシ２”’上の固定ポイントは、第２の連結棒の旋回軸の近くにあり、そして、主棒３９”’上の固定ポイントは、シャーシ２”’上の主棒３９”’の旋回軸Ｋから、主棒３９”’の長さの１／８から１／４の間の距離にある。
【００６２】
図示されていない実施形態では、装置は、可動式または固定式の家具の上面に、または引き出し内に固定されるように意図された、展示設備であり、板の代わりに容器として使用できる高さの低い入れ物の形態を有する。このような装置は、いかなるブロック手段もロック手段も有さず、展開された位置の安定性は、ばねの作用によって保証される。収納位置の維持は、停止機構によって、または装置上にカバーを保持する同等の機構によって得ることができる。
【００６３】
本発明は、例としてのみ説明された実施形態に限定されるものではない。ストッパーは、第２の実施形態で実施することができる。装置を「天井に」取り付ける場合、展開位置を得るためにバネを設ける必要はなく、または展開位置でブロックする必要はなく、展開位置にあれば、重力により自然に安定した状態が得られる。ガススプリングは、他のタイプのバネ、例えば旋回軸に配置されるねじりコイルバネ、またはらせん圧縮バネまたは引張りバネで置き換えることができる。第３および第４の連結棒を連結するために、ロック機構を備えることができる。キャスターは３つしか付けないことも可能である。
【図１】
2021507146.tif 000003
【図２】
2021507146.tif 000004
【図３】
2021507146.tif 000005
【図４】
2021507146.tif 000006
【図５】
2021507146.tif 000007
【図６】
2021507146.tif 000008
【図７】
2021507146.tif 000009
【図８】
2021507146.tif 000010
【図９】
2021507146.tif 000011
【図１０】
2021507146.tif 000012
【図１１】
2021507146.tif 000013
【図１２】
2021507146.tif 000014
【図１３】
2021507146.tif 000015
【図１４】
2021507146.tif 000016
【図１５】
2021507146.tif 000017
【図１６】
2021507146.tif 000018
【図１７】
2021507146.tif 000019
【図１８】
2021507146.tif 000020
【図１９】
2021507146.tif 000021
【図２０】
2021507146.tif 000022
【図２１】
2021507146.tif 000023
【図２２】
2021507146.tif 000024
【図２３】
2021507146.tif 000025
【図２４】
2021507146.tif 000026
【図２５】
2021507146.tif 000027
【図２６】
2021507146.tif 000028
【図２７】
2021507146.tif 000029
【国際調査報告】
2021507146.tif 000030
2021507146.tif 000031
2021507146.tif 000032
2021507146.tif 000033
2021507146.tif 000034
2021507146.tif 000035